(57)【要約】【課題】天井面や壁面などの設置対象部に対して発光装置をなるべく高い自由度で配置できるようにする。【解決手段】発光システム１００は、凸形状の受電部５０を有する発光装置１０と、発光装置１０が取り付けられる取付装置（ベース部７０）と、を有する。受電部５０は、当該受電部５０の突出方向において互いに異なる位置に配置された複数の端子５１を有している。取付装置は、絶縁層７５を介して相互に積層された複数の電極層７４を有している。受電部５０が、複数の電極層７４に対して交差する方向に取付装置へ差し込まれることにより、複数の端子５１の各々が、複数の電極層７４のうち対応する電極層７４と接触する。【選択図】図５
2015170577.tif 000002
【特許請求の範囲】
【請求項１】
凸形状の受電部を有する発光装置と、
前記発光装置が取り付けられる取付装置と、
を有し、
前記受電部は、当該受電部の突出方向において互いに異なる位置に配置された複数の端子を有し、
前記取付装置は、絶縁層を介して相互に積層された複数の電極層を有し、
前記受電部が、前記複数の電極層に対して交差する方向に前記取付装置へ差し込まれることにより、前記複数の端子の各々が、前記複数の電極層のうち対応する電極層と接触する発光システム。
【請求項２】
前記取付装置には、前記受電部が差し込まれる複数の差込穴が予め形成され、
前記複数の差込穴の各々の側面に前記複数の電極層の各々が露出しており、
前記受電部が何れかの前記差込穴に差し込まれることにより、前記複数の端子の各々が、前記複数の電極層のうち対応する電極層と接触する請求項１に記載の発光システム。
【請求項３】
凸形状の複数の受電部を有する発光装置と、
前記発光装置が取り付けられる取付装置と、
を有し、
前記複数の受電部は、互いに平行に突出しているとともに、それぞれ端子を有しており、且つ、各受電部の端子は、これら受電部の突出方向において互いに異なる位置に配置され、
前記取付装置は、絶縁層を介して積層された複数の電極層を有し、
前記複数の受電部が、それぞれ前記複数の電極層に対して交差する方向に前記取付装置へ差し込まれることにより、前記複数の受電部の前記端子の各々が、前記複数の電極層のうち対応する電極層と接触する発光システム。
【請求項４】
前記取付装置には、前記複数の受電部がそれぞれ差し込まれる複数の差込穴が予め形成され、
前記複数の差込穴の各々の側面に前記複数の電極層の各々が露出しており、
前記複数の受電部の各々が何れかの前記差込穴に差し込まれることにより、前記複数の端子の各々が、前記複数の電極層のうち対応する電極層と接触する請求項３に記載の発光システム。
【請求項５】
前記受電部は、その先端部に向けて段階的に縮径しており、
前記差込穴は、前記受電部の形状に対応して、当該差込穴の深部に向けて段階的に縮径している請求項２又は４に記載の発光システム。
【請求項６】
前記複数の電極層には、互いに異なる電位が印加される第１電極層および第２電極層が含まれている請求項１〜５の何れか一項に記載の発光システム。
【請求項７】
前記複数の電極層には、制御信号が入力される第３電極層が含まれている請求項６に記載の発光システム。
【請求項８】
凸形状の受電部を有し、
前記受電部は、当該受電部の突出方向において互いに異なる位置に配置された複数の端子を有している発光装置。
【請求項９】
凸形状の複数の受電部を有し、
前記複数の受電部は、互いに平行に突出しているとともに、それぞれ端子を有しており、且つ、各受電部の端子は、これら受電部の突出方向において互いに異なる位置に配置されている発光装置。
【請求項１０】
凸形状の受電部を有し、前記受電部は当該受電部の突出方向において互いに異なる位置に配置された複数の端子を有する発光装置、が取り付けられる取付装置であって、
絶縁層を介して相互に積層された複数の電極層を有し、
前記受電部が、前記複数の電極層に対して交差する方向に当該取付装置へ差し込まれることにより、前記複数の端子の各々が、前記複数の電極層のうち対応する電極層と接触する取付装置。
【請求項１１】
凸形状の複数の受電部を有し、前記複数の受電部は、互いに平行に突出しているとともに、それぞれ端子を有しており、且つ、各受電部の端子は、これら受電部の突出方向において互いに異なる位置に配置されている発光装置、が取り付けられる取付装置であって、
絶縁層を介して相互に積層された複数の電極層を有し、
前記複数の受電部が、それぞれ前記複数の電極層に対して交差する方向に当該取付装置へ差し込まれることにより、前記複数の受電部の前記端子の各々が、前記複数の電極層のうち対応する電極層と接触する取付装置。
【発明の詳細な説明】
【技術分野】
【０００１】
本発明は、発光システム、発光装置および取付装置に関する。
【背景技術】
【０００２】
発光装置を天井や壁等の設置対象部に対して簡単に設置するための技術として、例えば、特許文献１の技術がある。特許文献１の発光装置（同文献の平面光源ユニット）においては、電力が入力される第１の接続部と、第１の接続部から入力された電力を出力する第２の接続部と、が発光装置の互いに異なる側面に設けられている。そして、第１の接続部と第２の接続部とは、互いに電気的且つ機械的に接続可能な形状を有している。したがって、複数の発光装置のうち一の発光装置の第１の接続部と他の発光装置の第２の接続部とを接続することにより、複数の発光装置を電気的且つ機械的に接続できるため、発光装置を容易に設置対象部に設置することができる。なお、同文献に図示されるように、複数の発光装置は、格子状などの配置で規則的に設置される。
【先行技術文献】
【特許文献】
【０００３】
【特許文献１】特開２００９−１４６６４６号公報
【発明の概要】
【発明が解決しようとする課題】
【０００４】
ところで、発光装置を規則的な配置ではなく、なるべく高い自由度で配置できるようにしたいという要求が存在する。すなわち、例えば、任意の位置に写真を散りばめて貼り付ける様に、発光装置を設置対象部に設置したいという要求などがある。
【０００５】
本発明が解決しようとする課題としては、天井面や壁面などの設置対象部に対して発光装置をなるべく高い自由度で配置できるようにすることが可能な発光システム、発光装置および取付装置を提供することが一例として挙げられる。
【課題を解決するための手段】
【０００６】
請求項１に記載の発明は、
凸形状の受電部を有する発光装置と、
前記発光装置が取り付けられる取付装置と、
を有し、
前記受電部は、当該受電部の突出方向において互いに異なる位置に配置された複数の端子を有し、
前記取付装置は、絶縁層を介して相互に積層された複数の電極層を有し、
前記受電部が、前記複数の電極層に対して交差する方向に前記取付装置へ差し込まれることにより、前記複数の端子の各々が、前記複数の電極層のうち対応する電極層と接触する発光システムである。
【０００７】
請求項３に記載の発明は、
凸形状の複数の受電部を有する発光装置と、
前記発光装置が取り付けられる取付装置と、
を有し、
前記複数の受電部は、互いに平行に突出しているとともに、それぞれ端子を有しており、且つ、各受電部の端子は、これら受電部の突出方向において互いに異なる位置に配置され、
前記取付装置は、絶縁層を介して積層された複数の電極層を有し、
前記複数の受電部が、それぞれ前記複数の電極層に対して交差する方向に前記取付装置へ差し込まれることにより、前記複数の受電部の前記端子の各々が、前記複数の電極層のうち対応する電極層と接触する発光システムである。
【０００８】
請求項８に記載の発明は、
凸形状の受電部を有し、
前記受電部は、当該受電部の突出方向において互いに異なる位置に配置された複数の端子を有している発光装置である。
【０００９】
請求項９に記載の発明は、
凸形状の複数の受電部を有し、
前記複数の受電部は、互いに平行に突出しているとともに、それぞれ端子を有しており、且つ、各受電部の端子は、これら受電部の突出方向において互いに異なる位置に配置されている発光装置である。
【００１０】
請求項１０に記載の発明は、
凸形状の受電部を有し、前記受電部は当該受電部の突出方向において互いに異なる位置に配置された複数の端子を有する発光装置、が取り付けられる取付装置であって、
絶縁層を介して相互に積層された複数の電極層を有し、
前記受電部が、前記複数の電極層に対して交差する方向に当該取付装置へ差し込まれることにより、前記複数の端子の各々が、前記複数の電極層のうち対応する電極層と接触する取付装置である。
【００１１】
請求項１１に記載の発明は、
凸形状の複数の受電部を有し、前記複数の受電部は、互いに平行に突出しているとともに、それぞれ端子を有しており、且つ、各受電部の端子は、これら受電部の突出方向において互いに異なる位置に配置されている発光装置、が取り付けられる取付装置であって、
絶縁層を介して相互に積層された複数の電極層を有し、
前記複数の受電部が、それぞれ前記複数の電極層に対して交差する方向に当該取付装置へ差し込まれることにより、前記複数の受電部の前記端子の各々が、前記複数の電極層のうち対応する電極層と接触する取付装置である。
【図面の簡単な説明】
【００１２】
【図１】実施形態に係る発光装置を示す図であり、このうち（ａ）は斜視図、（ｂ）は分解斜視図である。
【図２】実施形態に係る発光装置の回路基板および受電部等を示す図であり、このうち（ａ）は平面図、（ｂ）は側面図、（ｃ）は正面図、（ｄ）は裏面図である。
【図３】実施形態に係る発光装置の受電部の斜視図である。
【図４】実施形態に係る取付装置を示す図であり、このうち（ａ）は斜視図、（ｂ）は（ａ）の部分拡大図である。
【図５】実施形態に係る発光システムの断面図である。
【図６】実施形態に係る発光システムを示す図であり、このうち（ａ）は斜視図であり、（ｂ）は発光システムの全体構成を示す図である。
【図７】発光装置が備える面光源の層構造を示す断面図である。
【図８】図８（ａ）〜図８（ｃ）の各々は面光源の背面を示す図である。
【図９】面光源の有機機能層の層構造を示す断面図であり、このうち（ａ）は第１例を、（ｂ）は第２例を、それぞれ示す。
【図１０】実施例１に係る発光システムの断面図である。
【図１１】実施例２に係る発光システムの断面図である。
【図１２】実施例３に係る発光システムを示す図であり、このうち（ａ）は取付装置の斜視図、（ｂ）は発光システムの断面図である。
【図１３】図１３（ａ）は実施例４に係る発光システムの発光装置の平面図、図１３（ｂ）は図１３（ａ）の矢印Ａ方向に発光装置を見た図、図１３（ｃ）は実施例５に係る発光システムの発光装置を示す図である。
【発明を実施するための形態】
【００１３】
以下、実施の形態について、図面を用いて説明する。尚、すべての図面において、同様の構成要素には同一の符号を付し、適宜説明を省略する。
【００１４】
図１は実施形態に係る発光装置１０を示す図であり、このうち（ａ）は斜視図、（ｂ）は分解斜視図である。図２は実施形態に係る発光装置１０の回路基板３０および受電部５０等を示す図であり、このうち（ａ）は平面図、（ｂ）は側面図、（ｃ）は正面図、（ｄ）は裏面図である。図３は実施形態に係る発光装置１０の受電部５０の斜視図である。図４は実施形態に係るベース部（取付装置）７０を示す図であり、このうち（ａ）は斜視図、（ｂ）は（ａ）の部分拡大図である。図５は実施形態に係る発光システム１００の断面図である。図６は実施形態に係る発光システム１００を示す図であり、このうち（ａ）は斜視図であり、（ｂ）は発光システム１００の全体構成を示す図である。
【００１５】
図５等に示すように、本実施形態に係る発光システム１００は、凸形状の受電部５０を有する発光装置１０と、発光装置１０が取り付けられる取付装置（ベース部７０）と、を有する。受電部５０は、当該受電部５０の突出方向において互いに異なる位置に配置された複数の端子５１を有している。取付装置は、絶縁層７５を介して相互に積層された複数の電極層７４を有している。受電部５０が、複数の電極層７４に対して交差する方向に取付装置へ差し込まれることにより、複数の端子５１の各々が、複数の電極層７４のうち対応する電極層７４と接触する。
【００１６】
図１〜図３、図５に示すように、本実施形態に係る発光装置１０は、凸形状の受電部５０を有し、受電部５０は、当該受電部５０の突出方向において互いに異なる位置に配置された複数の端子５１を有している。
【００１７】
図４〜図６に示すように、本実施形態に係る取付装置（ベース部７０）は、凸形状の受電部５０を有し、受電部５０は当該受電部５０の突出方向において互いに異なる位置に配置された複数の端子５１を有する発光装置１０、が取り付けられる取付装置である。取付装置は、絶縁層７５を介して相互に積層された複数の電極層７４を有している。受電部５０が、複数の電極層７４に対して交差する方向に取付装置へ差し込まれることにより、複数の端子５１の各々が、複数の電極層７４のうち対応する電極層７４と接触する。
【００１８】
本実施形態に係る発光装置１０、ひいては発光システム１００は、例えばディスプレイ、照明装置、又は光通信装置の光源として用いることができる。
【００１９】
以下においては、説明を簡単にするため、発光システム１００、発光装置１０、ベース部７０の各構成要素の位置関係（上下関係等）が各図に示す関係であるものとして説明を行う場合がある。ただし、この説明における位置関係は、発光システム１００、発光装置１０、ベース部７０の使用時や製造時の位置関係とは必ずしも一致しない。
【００２０】
図１に示すように、本実施形態に係る発光装置１０は、例えば、有機ＥＬ（Ｅｌｅｃｔｒｏ  Ｌｕｍｉｎｅｓｃｅｎｃｅ）発光装置或いはその他の、面状の発光装置（面発光装置）とすることができる。このため、発光装置１０は、例えば、面状の光源、すなわち面光源２０を有している。発光装置１０の平面形状は特に限定されない。発光装置１０の平面形状は多角形、円形、楕円形、或いはその他の任意の形状とすることができる。
【００２１】
面光源２０は、面状の光源であれば、どのような発光方式のものであっても良い。面光源２０は、例えば、有機ＥＬ光源、無機ＥＬ光源とすることができる。或いは、面光源２０は、例えば、ＬＥＤ（Ｌｉｇｈｔ  Ｅｍｉｔｔｉｎｇ  Ｄｉｏｄｅ）と導光板とを組み合わせることにより面状の構造とされたものであっても良いし、複数のＬＥＤをアレイ状に配列することにより面状の構造とされたものであっても良い。面光源２０の一方の面２０ａ（図５、図６（ａ））は、光を出射する発光面となっている。
【００２２】
発光装置１０の背面側、すなわち、面光源２０側とは反対側の面には、受電部５０が設けられている。受電部５０は、ピン型などの凸形状のものである。受電部５０は、発光装置１０の背面より起立（例えば発光装置１０の背面に対して垂直に起立）している。すなち、受電部５０は、発光装置１０の背面において、背面側に向けて突出している。
【００２３】
受電部５０は、当該受電部５０の突出方向において互いに異なる位置に配置された複数の端子５１を表面に有している。つまり、各端子５１は、互いに異なる高さに配置されている。図３の例では、受電部５０は、３つの端子５１を有している。ただし、受電部５０が有する端子５１の数は、２つであっても良いし、４つ以上であっても良い。
【００２４】
図４および図５に示すように、ベース部７０は、例えば、平板状に形成されている。ベース部７０は、絶縁層７５を介して相互に積層された複数の電極層７４を有している。図４および図５の例では、ベース部７０は、３つの電極層７４を有している。ただし、ベース部７０が有する電極層７４の数は、２つであっても良いし、４つ以上であっても良い。
【００２５】
ベース部７０には、受電部５０が差し込まれる複数の差込穴７２が形成されているか、又は、ベース部７０に受電部５０を突き刺すことが可能となっている。受電部５０を複数の電極層７４に対して交差する方向にベース部７０へ差し込むということは、ベース部７０の複数の差込穴７２のうちの任意の差込穴７２に受電部５０を差し込むこと、又は、ベース部７０の任意の位置に対して受電部５０を突き刺すことを意味する。
【００２６】
受電部５０が有する端子５１と、ベース部７０が有する電極層７４とは、１対１で対応している。受電部５０が、複数の電極層７４に対して交差する方向にベース部７０へ差し込まれることにより、複数の端子５１の各々が、複数の電極層７４のうち対応する電極層７４と接触し導通する。例えば、端子５１ａは、電極層７４ａと接触し導通する。端子５１ｂは、電極層７４ｂと接触し導通する。端子５１ｃは、電極層７４ｃと接触し導通する（図５参照）。
【００２７】
ここで、複数の電極層７４には、互いに異なる電位が印加される第１電極層（例えば電極層７４ａ）および第２電極層（例えば電極層７４ｃ）が含まれている。各電極層７４ａ〜７４ｃは、それぞれ対応する電極端子７３ａ〜７３ｃ（図６（ａ））と電気的に接続されている。図６（ｂ）に示すように、例えば定電圧電源９１等の外部電源から、ＶＣＣ電位が電極端子７３ａを介して電極層７４ａに印加され、ＧＮＤ電位が電極端子７３ｃを介して電極層７４ｃに印加されるようになっている。そして、電極層７４ａに印加される電位は端子５１ａに、電極層７４ｃに印加される電位は端子５１ｃに、それぞれ印加される。発光装置１０は、このように端子５１ａと端子５１ｃとの間に電圧が印加されることにより、発光するようになっている。
【００２８】
ベース部７０は、天井面や壁面などの設置対象部に対して予め固定される。この固定方法は限定されないが、例えば、ねじ止め、接着剤固定、嵌合固定などの方法が挙げられる。ベース部７０を設置対象部に固定した状態で、発光装置１０の受電部５０を、ベース部７０の任意の位置に差し込むことにより、外部電源からの電力が、ベース部７０を介して発光装置１０に供給され、発光装置１０が発光する。発光装置１０の受電部５０を差し込む位置は、ベース部７０の任意の位置とすることができるため、発光装置１０を高い自由度で配置することができる。
【００２９】
以下、発光システム１００についてより詳細に説明する。
【００３０】
図１に示すように、発光装置１０は、面光源２０と、面光源２０の発光面に対する裏面（面２０ｂ）に設けられた回路基板３０（図２）と、を有している。回路基板３０における面光源２０側とは反対側の面には、面光源２０を駆動させる駆動回路６０等の電気素子と、受電部５０と、が設けられている。
【００３１】
発光装置１０の平面形状は特に限定されないが、例えば、矩形状となっている。より具体的には、面光源２０は矩形状に形成されている。また、回路基板３０は、例えば、面光源２０の外形と同様の矩形状に形成されている。
【００３２】
回路基板３０は、可撓性のもの、すなわちフレキシブル基板であっても良いし、可撓性を持たないリジッド基板であっても良い。
【００３３】
図３に示すように、受電部５０は、例えばピン型の形状に形成されている。受電部５０は、例えば、錐状の先端を有し、その他の部位では径が一定に形成されている。受電部５０は、例えば、円柱形状に形成されている。
【００３４】
受電部５０は、３つの端子５１ａ、５１ｂ、５１ｃを表面に有している。受電部５０の先端側から順に、端子５１ａ、端子５１ｂおよび端子５１ｃが配置されている。各端子５１ａ〜５１ｃは、互いの間に配置された絶縁部５２により相互に絶縁されている。端子５１ａと端子５１ｂとの間には絶縁部５２ａが配置され、端子５１ｂと端子５１ｃとの間には絶縁部５２ｂが配置されている。また、受電部５０における端子５１ｃの基端側に隣接する部位には、絶縁部５２ｃが配置されている。端子５１（端子５１ａ〜５１ｃ）は、例えば金属により構成され、絶縁部５２（絶縁部５２ａ〜５２ｃ）は、例えば絶縁性の樹脂等により構成されている。
【００３５】
各端子５１ａ〜５１ｃは、回路基板３０に形成された配線４１に対して個別に電気的に接続されている。すなわち、端子５１ａは配線４１ａに対して、端子５１ｂは配線４１ｂに対して、端子５１ｃは配線４１ｃに対して、それぞれ電気的に接続されている。各配線４１ａ〜４１ｃは、互いに絶縁されている。各配線４１ａ〜４１ｃは、回路基板３０の表面に形成されていても良いし、回路基板３０の内部に形成されていても良い。各配線４１ａ〜４１ｃは、各端子５１ａ〜５１ｃを駆動回路６０に対して電気的に接続している。
【００３６】
図４及び図５に示すように、ベース部７０は例えば平板状に形成された本体部７１を有している。本体部７１の平面形状は、特に限定されず、任意の形状とすることができる。図４では、本体部７１が矩形状の例を示している。
【００３７】
本体部７１には複数の差込穴７２が形成されている。差込穴７２は、受電部５０を差込可能な寸法及び形状に形成されている。すなわち、ベース部７０には、受電部５０が差し込まれる複数の差込穴７２が予め形成されている。複数の差込穴７２の各々の側面に複数の電極層７４の各々が露出している。
【００３８】
差込穴７２の平面的な配置は任意の配置とすることができるが、例えば、図４に示すように格子状（正方格子状、千鳥格子状など）の配置とすることができる。この場合、複数の差込穴７２には、直線状に並ぶ複数の差込穴７２が含まれることとなる。ただし、差込穴７２は、必ずしも格子状に配置しなくても良いし、直線状に配置しなくても良い。また、ベース部７０の領域毎に、差込穴７２の配置密度が異なっていても良い。
【００３９】
差込穴７２は、本体部７１の厚み方向に長尺に形成されている。なお、差込穴７２は、図５に示すように本体部７１を厚み方向に貫通した貫通穴であっても良いし、本体部７１の一方の面側にのみ開放しているとともに他方の面側では閉塞している有底の穴（凹部）であっても良い。
【００４０】
本体部７１は、複数の電極層７４と、複数の絶縁層７５とを交互に積層することにより構成されている。ベース部７０が有する電極層７４の数と、受電部５０が有する端子５１の数とは、互いに等しい。本体部７１の表裏両面には、それぞれ絶縁層７５が配置されている。すなわち、図４（ｂ）および図５に示すように、本体部７１の表面側から順に、絶縁層７５ｄ、電極層７４ｃ、絶縁層７５ｃ、電極層７４ｂ、絶縁層７５ｂ、電極層７４ａ、絶縁層７５ａが配置されている。
【００４１】
各電極層７４は、例えば、金属層とすることができる。各絶縁層７５は、樹脂、或いは、木材等により構成されている。
【００４２】
本体部７１の端部には、各電極層７４と対応する電極端子７３が設けられている。すなわち、本体部７１の端部には、電極層７４ａに対して電気的に接続された電極端子７３ａと、電極層７４ｂに対して電気的に接続された電極端子７３ｂと、電極層７４ｃに対して電気的に接続された電極端子７３ｃと、が設けられている。これら電極端子７３ａ〜７３ｃは、例えば、本体部７１の同一の辺に配置されている。
【００４３】
図５に示すように、受電部５０が何れかの差込穴７２に差し込まれることにより、複数の端子５１（５１ａ〜５１ｃ）の各々が、複数の電極層７４（７４ａ〜７４ｃ）のうち対応する電極層７４と接触する。すなわち、端子５１ａは電極層７４ａと接触および導通し、端子５１ｂは電極層７４ｂと接触および導通し、端子５１ｃは電極層７４ｃと接触および導通する。
【００４４】
ここで、受電部５０は、差込穴７２に対して機械的に固定されるようになっていることが好ましい。すなわち、受電部５０が差込穴７２に差し込まれることにより、発光装置１０はベース部７０に対して電気的に接続されるとともに、機械的にも接続されることが好ましい。一例として、受電部５０が差込穴７２に圧入固定されるようにすることが挙げられる。或いは、後述する実施例のように、受電部５０が差込穴７２に対して係合固定されるようにしても良い。
ただし、発光装置１０は、受電部５０以外の部分によって、ベース部７０に対して機械的に固定されるようになっていても良い。
【００４５】
図５に示すように、各電極層７４の厚みは、受電部５０の突出方向における各端子５１の寸法（高さ）と同等であっても良いし、各端子５１の寸法とは異なる厚みであっても良い。ただし、受電部５０を差込穴７２に差し込んだときに、各端子５１が、それぞれ対応する１つの電極層７４に対して選択的に接触及び導通するように、各電極層７４の厚み及び互いの距離が設定されている。換言すれば、各端子５１が、それぞれ対応する１つの電極層７４に対して選択的に接触及び導通するように、各端子５１の寸法及び互いの距離が設定されている。
【００４６】
なお、受電部５０における最も基端側の絶縁部５２ｃは、受電部５０の突出方向における寸法が、駆動回路６０の厚みより大きく設定されていることが好ましい。具体的には、例えば、受電部５０の突出方向における絶縁部５２ｃの寸法は、駆動回路６０の厚みと絶縁層７５ｄの厚みとを足し合わせた寸法に設定されている（図５参照）。
【００４７】
図５及び図６に示すように、受電部５０を差込穴７２に差し込むことにより、発光装置１０の面光源２０をベース部７０の一方の面に沿って配置することができる。ベース部７０には複数の差込穴７２が形成されているとともに、受電部５０は任意の差込穴７２に差し込むことができるため、発光装置１０をベース部７０の任意の位置に取り付けることができる。つまり、発光装置１０を高い自由度で配置することができる。
【００４８】
なお、図６（ｂ）に示すように、１つのベース部７０に対して、複数の発光装置１０を同時に取り付けることが可能であることが好ましい。発光装置１０としては、種々のサイズ、形状、色温度（発光色の色温度）、発光色のものを取り付けることもできる。
【００４９】
ここで、本実施形態の場合、受電部５０は円柱形状に形成されているとともに、発光装置１０は１つの受電部５０によってベース部７０に取り付けられる。このため、差込穴７２に差し込まれた受電部５０を回転軸として、発光装置１０を任意の向きに回転させることもできる。よって、発光装置１０をより高い自由度で配置することができる。また、受電部５０をベース部７０に差し込むことによって発光装置１０をベース部７０に取り付けた状態で、発光装置１０の回転角度を調節し、発光装置１０を最終的な設置態様とすることもできる。
【００５０】
なお、受電部５０を回転軸として発光装置１０を回転させるためには、必ずしも、受電部５０を円柱形状とする必要はない。例えば、円柱形状の外周面に凹部が形成された形状の受電部５０であっても良い。また、後述する実施例のように、受電部５０が先端側に向けて段階的に縮径する形状であっても、受電部５０の突出方向における各部が差込穴７２内で同軸回転可能な形状であれば、受電部５０を回転軸として発光装置１０を回転させることが可能である。
【００５１】
図６（ｂ）に示すように、発光システム１００は、外部電源としての定電圧電源９１と、調光器９２と、を備えている。
【００５２】
定電圧電源９１は、配線を介して、電極端子７３ａ、７３ｃに対して電気的に接続されている。具体的には、ＶＣＣ電位が定電圧電源９１から電極端子７３ａを介して電極層７４ａに印加され、ＧＮＤ電位が定電圧電源９１から電極端子７３ｃを介して電極層７４ｃに印加されるようになっている。
【００５３】
また、調光器９２は、配線を介して、電極端子７３ｂ、７３ｃに対して電気的に接続されている。具体的には、ＰＷＭ制御信号が、調光器９２から電極端子７３ｂを介して電極層７４ｂに入力されるようになっている。すなわち、複数の電極層７４には、制御信号が入力される第３電極層（電極層７４ｂ）が含まれている。
【００５４】
よって、受電部５０が差込穴７２に差し込まれることにより、発光装置１０の受電部５０の端子５１ａにはＶＣＣ電位が、端子５１ｃにはＧＮＤ電位が、端子５１ｂにはＰＷＭ制御信号が、それぞれ入力される。
【００５５】
ここで、電極層７４ａ〜７４ｃのうち、ＶＣＣ電位が入力される電極層７４ａが、ベース部７０の表面から最も遠い位置（最深部）に配置されている。したがって、受電部５０の差し込み時に最後に電気的に接続される電極層７４ａにＶＣＣ電位が入力されるため、安全性の高い構造となっている。
ただし、各電極層７４ａ〜７４ｃと、それに入力されるＶＣＣ電位、ＧＮＤ電位又はＰＷＭ制御信号との対応関係は、上記以外の関係となっていても良い。
【００５６】
図７は発光装置１０の面光源２０の層構造の一例を示す断面図である。
発光装置１０は、例えば有機ＥＬ発光装置であり、面光源２０は有機ＥＬ光源である。
面光源２０は、例えば、透光性の基材１１０と、透光性の第１電極１３０と、有機機能層１４０と、第２電極１５０と、封止部１６０と、を有する。第１電極１３０は、基材１１０の一方の面側（図７において下側）に配置されている。有機機能層１４０は、第１電極１３０を基準として基材１１０とは反対側（図７において下側）に配置されている。第２電極１５０は、有機機能層１４０を基準として第１電極１３０とは反対側（図７において下側）に配置されている。なお、基材１１０と第１電極１３０とは相互に接していても良いし、それらの間に他の透光性の層が存在していても良い。第２電極１５０の下面側には、有機機能層１４０を大気や水分から保護するための封止部１６０が設けられている。
【００５７】
基材１１０は、ガラスや樹脂などの透光性を有する材料からなる板状部材である。
図７において、基材１１０の上面が発光面（面２０ａ）となっていても良いし、基材１１０の上面に光取り出しフィルム等の光学フィルム（図示略）が貼り付けられ、該光学フィルムの上面が発光面となっていても良い。
【００５８】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されており、単層構造でも積層構造でも良い。第２電極１５０は、例えば、ＡｌやＡｇなどの金属膜からなる反射電極である。第２電極１５０は、有機機能層１４０から第２電極１５０側に向かう光を、基材１１０側に向けて反射する。
【００５９】
図８（ａ）〜図８（ｃ）の各々は面光源２０の背面を示す図である。面光源２０の背面側には、第１電極端子１３１および第２電極端子１５１が形成されている。第１電極端子１３１は、第１電極１３０の一部分であるか、又は、第１電極１３０に対して電気的に接続された端子である。同様に、第２電極端子１５１は、第２電極１５０の一部分であるか、又は、第２電極１５０に対して電気的に接続された端子である。
【００６０】
第１電極端子１３１と第２電極端子１５１との間に電流が流されることにより、すなわち第１電極１３０と第２電極１５０との間に電流が流されることにより、有機機能層１４０の発光層が発光する。有機機能層１４０、第１電極１３０および基材１１０は、いずれも、有機機能層１４０の発光層が発光した光の少なくとも一部を透過する。発光層が発光した光の一部は、面光源２０の発光面から、発光装置１０の外部に放射される（取り出される）。
【００６１】
第１電極端子１３１および第２電極端子１５１の配置は、様々な配置とすることができる。図８（ａ）の例では、面光源２０の背面の互いに対向する２辺の各々に沿って、第１電極端子１３１、第２電極端子１５１がそれぞれ配置されている。また、面光源２０の発光面の輝度均一性を向上するために、第１電極端子１３１および第２電極端子１５１の各々を複数箇所に配置した、より複雑な構造もある。図８（ｂ）の例では、面光源２０の背面の互いに対向する２辺の各々に沿って第１電極端子１３１が配置され、面光源２０の背面の残りの２辺の各々に沿って第２電極端子１５１が配置されている。図８（ｃ）の例では、面光源２０の背面の各辺に沿って、第１電極端子１３１および第２電極端子１５１の各々が複数ずつ配置されている。何れの場合にも、第１電極端子１３１および第２電極端子１５１は、例えば、面光源２０の背面の周縁部に配置されている。
【００６２】
一方、図２（ｄ）に示すように、回路基板３０における面光源２０側の面には、各第１電極端子１３１と対応する位置に形成された電極端子３１と、各第２電極端子１５１と対応する位置に形成された電極端子３２と、が設けられている。なお、図２（ｄ）では、第１電極端子１３１および第２電極端子１５１が図８（ｂ）のように配置されている場合と対応する例を示しているが、第１電極端子１３１および第２電極端子１５１が図８（ａ）、図８（ｃ）或いはその他の配置となっていても、電極端子３１、３２は、各第１電極端子１３１および各第２電極１５１と対応する位置に形成されている。
【００６３】
回路基板３０は、面光源２０の一方の面に設けられている。面光源２０に対する回路基板３０の固定は、例えば、両面テープ又は接着剤等を用いて行うことができる。また、回路基板３０の各電極端子３１、３２は、それぞれ対応する第１電極端子１３１又は第２電極端子１５１に対して電気的に接続されている。電極端子３１と第１電極端子１３１との接続、並びに、電極端子３２と第２電極端子１５１との接続は、例えば、ＡＣＦ圧着（Ａｎｉｓｏｔｒｏｐｉｃ  Ｃｏｎｄｕｃｔｉｖｅ  Ｆｉｌｍ：異方性導電膜）、導電性接着剤又は導電性両面テープ等を用いて行うことができる。
【００６４】
こうして、受電部５０の各端子５１ａ、５１ｃは、回路基板３０の配線、駆動回路６０、回路基板３０の配線、電極端子３１、３２を介して、面光源２０の第１電極端子１３１、第２電極端子１５１に対して電気的に接続されている。
そして、定電圧電源９１からの電力が、ベース部７０、受電部５０、回路基板３０の配線、駆動回路６０および回路基板３０の配線を介して、第１電極端子１３１および第２電極端子１５１に対して入力されることによって、面光源２０が発光するようになっている。
【００６５】
駆動回路６０は、受電部５０に供給される定電圧を、面光源２０を駆動するための定電流に変換する。駆動回路６０により生成された定電流が、回路基板３０の配線、電極端子３１、３２を介して、面光源２０の第１電極端子１３１、第２電極端子１５１に供給されることにより、面光源２０が発光する。
このように面光源２０を定電圧駆動することができるため、複数の発光装置１０を共通のベース部７０に取り付けることにより、これら発光装置１０を電気的に並列接続させて発光させることができる。このため、ベース部７０と定電圧電源９１との間の配線、並びに、ベース部７０と調光器９２との間の配線を、それぞれシンプルにすることができる。なお、面光源２０を直接ベース部７０に取り付ける場合は、これら面光源２０を直列する必要があるため、配線が複雑となる。
【００６６】
以下、有機機能層１４０の層構造の具体的な例を説明する。
【００６７】
図９（ａ）は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
なお、発光層１４３は、複数の色を発光するための材料を混ぜることにより、白色等の単一の発光色で発光するように構成されていても良い。
【００６８】
図９（ｂ）は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００６９】
以上、本実施形態に係る発光システム１００は、凸形状の受電部５０を有する発光装置１０と、発光装置１０が取り付けられる取付装置（ベース部７０）と、を有する。受電部５０は、当該受電部５０の突出方向において互いに異なる位置に配置された複数の端子５１を有している。取付装置は、絶縁層７５を介して相互に積層された複数の電極層７４を有している。受電部５０が、複数の電極層７４に対して交差する方向に取付装置へ差し込まれることにより、複数の端子５１の各々が、複数の電極層７４のうち対応する電極層７４と接触する。つまり、発光装置１０がベース部７０に対して電気的に接続される。
よって、複数の電極層７４に互いに異なる電圧を印加することなどにより、ベース部７０から発光装置１０で電力を供給し、発光装置１０を発光させることができる。
そして、受電部５０を、ベース部７０の任意の位置に差し込むことにより、発光装置１０をベース部７０に対して電気的に接続することができるので、発光装置１０をベース部７０に対して高い自由度で配置することができる。つまり、発光装置１０の配置について、よりランダム性を高めることができる。
よって、例えば、あたかもコルクボードの任意の位置に写真を散りばめて貼り付ける様に、発光装置１０を設置対象部に設置することなどが可能となる。また、発光装置１０の配置の変更も容易に行うことができる。
【００７０】
ベース部７０には、受電部５０が差し込まれる複数の差込穴７２が予め形成され、複数の差込穴７２の各々の側面に複数の電極層７４の各々が露出している。そして、受電部５０が何れかの差込穴７２に差し込まれることにより、複数の端子５１の各々が、複数の電極層７４のうち対応する電極層７４と接触する。よって、受電部５０をベース部７０に対して容易に差し込んで、発光装置１０をベース部７０に対して電気的に接続することができる。また、受電部５０の差し込みによる電極層７４の変形を抑制できるため、電極層７４どうしの短絡を抑制できる。
【００７１】
複数の電極層７４には、互いに異なる電位が印加される第１電極層（例えば電極層７４ａ）および第２電極層（例えば電極層７４ｃ）が含まれているので、ベース部７０から発光装置１０で電力を供給し、発光装置１０を発光させることができる。
【００７２】
また、複数の電極層７４には、制御信号が入力される電極層７４ｂが含まれているので、発光装置１０を制御信号によって制御することも可能となる。
【００７３】
発光装置１０は、凸形状の受電部５０を有し、受電部５０は、当該受電部５０の突出方向において互いに異なる位置に配置された複数の端子５１を有しているので、発光装置１０の受電部５０をベース部７０に差し込むことにより、ベース部７０から発光装置１０で電力を供給し、発光装置１０を発光させることができる。
【００７４】
また、取付装置（ベース部７０）は、絶縁層を介して相互に積層された複数の電極層７４を有し、受電部５０が、複数の電極層７４に対して交差する方向に当該取付装置へ差し込まれることにより、複数の端子５１の各々が、複数の電極層７４のうち対応する電極層７４と接触するので、発光装置１０の受電部５０をベース部７０に差し込むことにより、ベース部７０から発光装置１０で電力を供給し、発光装置１０を発光させることができる。
【実施例】
【００７５】
（実施例１）
図１０は実施例１に係る発光システム１００の断面図である。本実施例に係る発光システム１００は、以下に説明する点で、上記の実施形態に係る発光システム１００と相違し、その他の点では、上記の実施形態に係る発光システム１００と同様に構成されている。
【００７６】
本実施例の場合、ベース部７０は、差込穴７２の内壁より突出した突出部７２１を備えている。突出部７２１は、差込穴７２の内壁より、差込穴７２の軸中心側に向けて突出している。突出部７２１は、ベース部７０において、複数の電極層７４よりも深い位置に形成されている。
一方、受電部５０の周面には、突出部７２１と係合する係合凹部５５が形成されている。係合凹部５５は、受電部５０の先端部に形成されている。
【００７７】
受電部５０が差込穴７２に差し込まれることにより、突出部７２１が係合凹部５５に対して係合する。これにより、受電部５０は、ある程度の係合力でベース部７０に対して係合し、ベース部７０に保持される。よって、発光システム１００が係合凹部５５および突出部７２１を有していない場合と比べて、発光装置１０をより安定的にベース部７０に対して取り付けることができる。
【００７８】
突出部７２１は、連続的な環状に形成されていても良いし、受電部５０の周囲の複数箇所に間欠的に形成されていても良い。
【００７９】
受電部５０を差込穴７２からある程度よりも大きい力で引っ張ることにより、係合凹部５５に対する突出部７２１の係合が外れて、受電部５０が差込穴７２から引き抜くことができる。
【００８０】
なお、本実施例の場合も、差込穴７２に差し込まれた受電部５０を回転軸として発光装置１０が回転可能となっていても良い。
【００８１】
以上、本実施例によれば、上記の実施形態と同様の効果が得られる他、以下の効果が得られる。
【００８２】
ベース部７０は、差込穴７２の内壁より突出した突出部７２１を備え、受電部５０の周面には、突出部７２１と係合する係合凹部５５が形成されているので、発光装置１０をより安定的にベース部７０に対して取り付けることができる。
【００８３】
（実施例２）
図１１は実施例２に係る発光システム１００の断面図である。本実施例に係る発光システム１００は、以下に説明する点で、上記の実施形態又は実施例１に係る発光システム１００と相違し、その他の点では、上記の実施形態又は実施例１に係る発光システム１００と同様に構成されている。
【００８４】
本実施例の場合、受電部５０は、その先端部に向けて段階的に縮径している。差込穴７２は、受電部５０の形状に対応して、当該差込穴７２の深部に向けて段階的に縮径している。
【００８５】
具体的には、受電部５０において、最も基端側に位置する絶縁部５２ｃと、絶縁部５２ｃの先端側に隣接する端子５１ｃとは、互いに同径に形成されている。
【００８６】
端子５１ｃの先端側に隣接する絶縁部５２ｂは、端子５１ｃよりも小径に形成されている。このため、端子５１ｃは、受電部５０の先端側を向く段差面５６ｂを有している。
【００８７】
絶縁部５２ｂと、絶縁部５２ｂの先端側に隣接する端子５１ｂとは、互いに同径に形成されている。
【００８８】
端子５１ｂの先端側に隣接する絶縁部５２ａは、端子５１ｂよりも小径に形成されている。このため、端子５１ｂは、受電部５０の先端側を向く段差面５６ａを有している。
【００８９】
絶縁部５２ａと、端子５１ａとは、互いに同径に形成されている。
【００９０】
なお、端子５１ａ〜５１ｃ、絶縁部５２ａ〜５２ｃの各々の外周面は、互いに同軸に配置されている。
【００９１】
一方、差込穴７２は、受電部５０と対応する形状に形成されている。
【００９２】
すなわち、差込穴７２において、最表層の絶縁層７５ｄおよび最表層の電極層７４ｃに位置する部分は、最も基端側に位置する絶縁部５２ｃおよび端子５１ｃと対応する内径に形成されている。
【００９３】
また、差込穴７２において、絶縁層７５ｃおよび電極層７４ｂに位置する部分は、絶縁部５２ｂおよび端子５１ｂと対応する内径に形成されている。このため、差込穴７２において、絶縁層７５ｃには段差面７２ｂが形成されている。受電部５０が差込穴７２に差し込まれることにより、受電部５０の段差面５６ｂが段差面７２ｂに突き当たるようになっている。
【００９４】
また、差込穴７２において、絶縁層７５ｂおよび電極層７４ａに位置する部分は、絶縁部５２ａおよび端子５１ａと対応する内径に形成されている。このため、差込穴７２において、絶縁層７５ｂには段差面７２ａが形成されている。受電部５０が差込穴７２に差し込まれることにより、受電部５０の段差面５６ａが段差面７２ａに突き当たるようになっている。
【００９５】
なお、端子５１ａには、上記の実施例１と同様の係合凹部５５が形成されているとともに、ベース部７０は上記の実施例１と同様の突出部７２１を有していても良い。
【００９６】
以上、本実施例によれば、上記の実施形態又は実施例１と同様の効果が得られる他、以下の効果が得られる。
【００９７】
受電部５０は、その先端部に向けて段階的に縮径しており、差込穴７２は、受電部５０の形状に対応して、当該差込穴７２の深部に向けて段階的に縮径している。よって、受電部５０が必要以上に深く差込穴７２に差し込まれることを抑制できるため、各端子５１ａ〜５１ｃを、より確実に、対応する電極層７４ａ〜７４ｃに対して選択的に接触及び導通させることができる。よって、電気的接続不良や電気的ショートを抑制できる。
【００９８】
なお、実施例２では、受電部５０と差込穴７２にそれぞれ２箇所ずつの段差面を形成する例を説明したが、受電部５０と差込穴７２に少なくとも１箇所ずつの段差面が形成されており、受電部５０と差込穴７２の段差面が互いに突き当たるようになっていればよい。
【００９９】
（実施例３）
図１２は実施例３に係る発光システム１００を示す図であり、このうち（ａ）はベース部（取付装置）７０の斜視図、（ｂ）は発光システム１００の断面図である。本実施例に係る発光システム１００は、以下に説明する点で、上記の実施形態、実施例１又は実施例２に係る発光システム１００と相違し、その他の点では、実施形態、実施例１又は実施例２に係る発光システム１００と同様に構成されている。
【０１００】
上記においては、ベース部７０に予め差込穴７２が形成されている例を説明した。これに対し、本実施例では、ベース部７０には、差込穴７２が形成されてはおらず、受電部５０をベース部７０に突き刺すことによって、受電部５０の各端子５１ａ〜５１ｃが、対応する電極層７４ａ〜７４ｃに対して接触及び導通するようになっている。つまり、あたかもコルクボードに画鋲で写真等を留めるように、受電部５０をベース部７０に突き刺すことにより、発光装置１０をベース部７０に取り付けることができる。なお、ベース部７０の絶縁層７５および電極層７４の材料としては、受電部５０を手作業でベース部７０に突き刺すことが可能な程度に柔らかい材料を選択することが好ましい。
【０１０１】
図１２（ｂ）に示すように、本実施例の場合も、受電部５０の各端子５１がそれぞれ対応する電極層７４に対して接触及び導通する。また、元々穴が形成されていないベース部７０に受電部５０を差し込むことによって発光装置１０がベース部７０に取り付けられるので、受電部５０とベース部７０との摩擦力により発光装置１０がベース部７０に対して機械的に固定される。
【０１０２】
以上、本実施例によれば、ベース部７０には差込穴７２が形成されてはおらず、受電部５０をベース部７０に突き刺すことによって、受電部５０の各端子５１ａ〜５１ｃが、対応する電極層７４ａ〜７４ｃに対して接触及び導通するので、ユーザはベース部７０におけるどこでも好みの位置に発光装置１０を設置することができる。よって、発光装置１０の配置について、ランダム性を更に高めることができる。
【０１０３】
（実施例４）
図１３（ａ）は実施例４に係る発光システム（全体図示略）の発光装置１０の平面図、図１３（ｂ）は図１３（ａ）の矢印Ａ方向に発光装置１０を見た図（側面図）である。本実施例に係る発光システムは、以下に説明する点で、上記の実施形態、実施例１〜３に係る発光システム１００と相違し、その他の点では、上記の実施形態、実施例１〜３に係る発光システム１００と同様に構成されている。
【０１０４】
上記においては、１つの受電部５０をベース部７０に差し込むことによって発光装置１０がベース部７０に対して電気的に接続される例を説明した。
これに対し、本実施例の場合、複数の受電部（例えば受電部５１１〜５１３）をベース部７０に差し込むことによって、発光装置１０がベース部７０に対して電気的に接続される。
【０１０５】
すなわち、本実施例に係る発光システムは、凸形状の複数の受電部（例えば受電部５１１〜５１３）を有する発光装置１０と、発光装置１０が取り付けられる取付装置（ベース部７０）と、を有している。複数の受電部は、互いに平行に突出しているとともに、それぞれ端子５１（端子５１ａ〜５１ｃ）を有しており、且つ、各受電部の端子５１は、これら受電部の突出方向において互いに異なる位置に配置されている。取付装置は、絶縁層７５を介して積層された複数の電極層７４を有している。複数の受電部が、それぞれ複数の電極層７４に対して交差する方向に取付装置へ差し込まれることにより、複数の受電部の端子５１の各々が、複数の電極層７４のうち対応する電極層７４と接触する。
【０１０６】
また、本実施例に係る発光装置１０は、凸形状の複数の受電部（例えば受電部５１１〜５１３）を有し、複数の受電部は、互いに平行に突出しているとともに、それぞれ端子５１（端子５１ａ〜５１ｃ）を有しており、且つ、各受電部の端子５１は、これら受電部の突出方向において互いに異なる位置に配置されている。
【０１０７】
また、本実施例に係る取付装置（ベース部７０）は、凸形状の複数の受電部（例えば受電部５１１〜５１３）を有し、複数の受電部は、互いに平行に突出しているとともに、それぞれ端子５１（端子５１ａ〜５１ｃ）を有しており、且つ、各受電部の端子は、これら受電部の突出方向において互いに異なる位置に配置されている発光装置１０、が取り付けられる取付装置である。取付装置は、絶縁層７５を介して積層された複数の電極層７４を有している。複数の受電部が、それぞれ複数の電極層７４に対して交差する方向に取付装置へ差し込まれることにより、複数の受電部の端子５１の各々が、複数の電極層７４のうち対応する電極層７４と接触する。
【０１０８】
図１３（ａ）および（ｂ）に示すように、発光装置１０は、例えば３つの受電部５１１〜５１３を有している。これら受電部５１１〜５１３は、互いに離間して配置されていれば良い。一例として、発光装置１０の背面の四隅のうち３つの隅部にそれぞれ配置されている。各受電部５１１〜５１３は、互いに同一の外形形状及び寸法に形成されている。
【０１０９】
さらに、発光装置１０は、発光装置１０をベース部７０に固定するための固定ピン５１４を備えている。固定ピン５１４の外形形状及び寸法は、受電部５１１〜５１３と同じである。固定ピン５１４は、発光装置１０の背面の四隅のうち、何れの受電部５１１〜５１３も配置されていない隅部に配置されている。
【０１１０】
受電部５１１〜５１３および固定ピン５１４は、それぞれ発光装置１０の背面より背面側に向けて、互いに平行に突出している。より具体的には、受電部５１１〜５１３および固定ピン５１４は、発光装置１０の背面に対して垂直に起立している。
【０１１１】
受電部５１１〜５１３のうち、受電部５１１は端子５１ａを有し、受電部５１２は端子５１ｂを有し、受電部５１３は端子５１ｃを有している。
【０１１２】
受電部５１１における端子５１ａの配置は、上記の受電部５０における端子５１ａの配置と同じである。受電部５１１の表層において、端子５１ａが形成された部分以外の部分は、例えば、絶縁部５２により構成されている。
受電部５１２における端子５１ｂの配置は、上記の受電部５０における端子５１ｂの配置と同じである。受電部５１２の表層において、端子５１ｂが形成された部分以外の部分は、例えば、絶縁部５２により構成されている。
受電部５１３における端子５１ｃの配置は、上記の受電部５０における端子５１ｃの配置と同じである。受電部５１３の表層において、端子５１ｃが形成された部分以外の部分は、例えば、絶縁部５２により構成されている。
したがって、各受電部５１１〜５１３の端子５１ａ〜５１ｃは、これら受電部５１１〜５１３の突出方向において互いに異なる位置に配置されている。
【０１１３】
固定ピン５１４は、樹脂等の絶縁性の材料により構成されていても良いし、表面が絶縁処理された金属等の材料により構成されていても良い。
【０１１４】
本実施例の場合、例えば、ベース部７０には、複数の受電部５１１〜５１３がそれぞれ差し込まれる複数の差込穴７２が予め形成されている。複数の差込穴７２の各々の側面に複数の電極層７４の各々が露出している。この場合、複数の受電部５１１〜５１３の各々が何れかの差込穴７２に差し込まれることにより、複数の端子５１ａ〜５１ｃの各々が、複数の電極層７４（電極層７４ａ〜７４ｃ）のうち対応する電極層７４と接触する。
【０１１５】
ここで、発光装置１０を背面視したとき、受電部５１１〜５１３および固定ピン５１４は、例えば、正方形の各頂点に配置されている。一方、ベース部７０における複数の差込穴７２は、例えば、隣り合う差込穴７２どうしの距離が、この正方形の一辺の長さと等しい距離となるような格子状に配置されている。これにより、ベース部７０の任意の位置において、４つの差込穴７２に受電部５１１〜５１３および固定ピン５１４をそれぞれ差し込むことにより、発光装置１０をベース部７０に対して電気的及び機械的に接続することができる。
【０１１６】
以上、本実施例によれば、発光システムは、凸形状の複数の受電部（例えば受電部５１１〜５１３）を有する発光装置１０と、発光装置１０が取り付けられる取付装置（ベース部７０）と、を有している。複数の受電部は、互いに平行に突出しているとともに、それぞれ端子５１（端子５１ａ〜５１ｃ）を有しており、且つ、各受電部の端子５１は、これら受電部の突出方向において互いに異なる位置に配置されている。取付装置は、絶縁層７５を介して積層された複数の電極層７４を有している。複数の受電部が、それぞれ複数の電極層７４に対して交差する方向に取付装置へ差し込まれることにより、複数の受電部の端子５１の各々が、複数の電極層７４のうち対応する電極層７４と接触する。
よって、複数の電極層７４に互いに異なる電圧を印加することなどにより、ベース部７０から発光装置１０で電力を供給し、発光装置１０を発光させることができる。
そして、受電部５１１〜５１３を、ベース部７０の任意の位置に差し込むことにより、発光装置１０をベース部７０に対して電気的に接続することができるので、発光装置１０をベース部７０に対して高い自由度で配置することができる。つまり、発光装置１０の配置について、よりランダム性を高めることができる。
よって、例えば、あたかもコルクボードの任意の位置に写真を散りばめて貼り付ける様に、発光装置１０を設置対象部に設置することなどが可能となる。また、発光装置１０の配置の変更も容易に行うことができる。
また、複数の受電部５１１〜５１３をベース部７０に対して差し込むため、発光装置１０をベース部７０に対してより安定的に固定することができる。
【０１１７】
なお、本実施例の場合も、上記の実施例３と同様に、ベース部７０には差込穴７２が形成されていなくても良い。このようにすることにより、発光装置１０の配置の自由度を更に高めることができる。また、この場合、受電部５１１〜５１３および固定ピン５１４の配置の自由度も高めることもできる。
【０１１８】
また、実施例４の場合も、ベース部７０は差込穴７２の内壁より突出した突出部７２１を備え、受電部５１１〜５１３および固定ピン５１４の各々の周面には、突出部７２１と係合する係合凹部５５が形成されていても良い（図１０参照）。このようにすることにより、上記の実施例１と同様の効果が得られる。
【０１１９】
また、実施例４の場合も、受電部５１１〜５１３および固定ピン５１４は、その先端部に向けて段階的に縮径しており、差込穴７２は、受電部５１１〜５１３および固定ピン５１４の形状に対応して、当該差込穴７２の深部に向けて段階的に縮径していても良い（図１１参照の受電部５０および差込穴７２の形状を参照）。このようにすることにより、上記の実施例２と同様の効果が得られる。
【０１２０】
（実施例５）
図１３（ｃ）は実施例５に係る発光システムの発光装置１０を示す図である。ここで、本実施例に係る発光装置１０の平面形状は、実施例４に係る発光装置１０と同様であり、図１３（ｃ）は、図１３（ａ）の矢印Ａ方向に発光装置１０を見た図（側面図）である。本実施例に係る発光システムは、以下に説明する点で、上記の実施例４に係る発光システムと相違し、その他の点では、上記の実施例４に係る発光システム１００と同様に構成されている。
【０１２１】
上記の実施例４では、各受電部５１１〜５１３および固定ピン５１４の形状及び寸法が互いに等しい例を説明した。
【０１２２】
これに対し、本実施例では、各受電部５１１〜５１３の高さ（突出長）が互いに異なる。受電部５１１〜５１３の高さは、受電部５１１、５１２、５１３の順に高く、各受電部５１１〜５１３は、各々の先端位置に端子５１ａ〜５１ｃを有している。そして、受電部５１３〜５１３が、それぞれ複数の電極層７４に対して交差する方向にベース部７０へ差し込まれることにより、複数の受電部５１１〜５１３の端子５１ａ〜５１ｃの各々が、複数の電極層７４のうち対応する電極層７４と接触する。
【０１２３】
なお、固定ピン５１４の形状及び寸法は、特に限定されないが、例えば、最も高い受電部５１１と同じとすることができる。
【０１２４】
実施例５によっても、上記の実施例４と同様の効果が得られる。
【０１２５】
以上、図面を参照して実施形態及び実施例について述べたが、これらは本発明の例示であり、上記以外の様々な構成を採用することもできる。
【０１２６】
例えば、上記においては、受電部５０、５１１〜５１３が円柱形状である例を説明したが、受電部５０、５１１〜５１３は円柱形状に限らない。また、実施例１〜３では、受電部５０が差込穴７２内で当該受電部５０の軸周りに回転しない形状であっても良い。
【０１２７】
また、上記においては、発光装置１０が面状の発光装置である例を説明したが、発光装置１０は、面状の発光装置に限らない。
【０１２８】
また、ベース部７０に対する受電部５０の固定方法は、上記の例に限らない。例えば、受電部５０はベース部７０に対して（例えば差込穴７２に対して）螺合するようになっていても良い。或いは、受電部５０を差込穴７２に対して差し込んだ状態で、受電部５０をその軸周りに回転させることによって、受電部５０とベース部７０における差込穴７２の周囲の部分とが相互に係合し、受電部５０がその突出方向においてベース部７０から抜け止めされるような係合構造を、発光システム１００が有していても良い。
【０１２９】
また、実施例１〜３では、１つの受電部５０をベース部７０に差し込むことによって発光装置１０がベース部７０に対して機械的に固定される例を説明したが、上記の実施例４で説明した固定ピン５１４と同様に、固定のための１つ又は複数の固定ピン（差込穴７２に差し込まれる固定ピン、或いは、ベース部７０に突き刺される固定ピン）を備えていても良い。
この場合、受電部５０および固定ピンの配置は、例えば、図１３（ａ）に示す受電部５１１〜５１３および固定ピン５１４の配置と同様のものとすることができる。
或いは、発光装置１０の背面の中央に受電部５０を配置し、発光装置１０の背面の四隅にそれぞれ固定ピンを配置しても良い。この場合、ベース部７０における複数の差込穴７２は、例えば、隣り合う差込穴７２どうしの距離が、４つの固定ピンの位置を頂点とする正方形の一辺の長さの半分の距離となるような格子状に配置することができる。
【０１３０】
また、上記の各実施例では、調光器９２からＰＷＭ制御信号を発光装置１０に入力する例を説明したが、必ずしも発光装置１０にＰＷＭ制御信号を入力する必要は無い。このため、受電部５０は端子５１ｂを有していないとともに、ベース部７０は電極層７４ｂを有していなくても良い。或いは、発光装置１０は受電部５１２を有していないととも、ベース部７０は電極層７４ｂを有していなくても良い。
【０１３１】
或いは、ＰＷＭ制御信号以外の制御信号を発光装置１０に入力できるように、発光装置１０は、制御信号の入力用の２つ以上の端子５１を有しているとともに、ベース部７０は、制御信号の入力用の２つ以上の電極層７４を有していても良い。
【０１３２】
また、ベース部７０の全領域に取り付けられる発光装置１０について、同一の発光態様で発光させるようにしても良いし、ベース部７０を複数の領域に区分けし、その領域毎に、取り付けられる発光装置１０を互いに異なる発光態様で発光させるようにしても良い。
【符号の説明】
【０１３３】
１０ 発光装置
５０ 受電部
５１ 端子
５１ａ 端子
５１ｂ 端子
５１ｃ 端子
７０ ベース部（取付装置）
７２ 差込穴
７４ 電極層
７４ａ 電極層（第１電極層）
７４ｂ 電極層（第３電極層）
７４ｃ 電極層（第２電極層）
７５ 絶縁層
７５ｂ 絶縁層
７５ｃ 絶縁層
１００ 発光システム
５１１、５１２、５１３ 受電部
【図１】
2015170577.tif 000003
【図２】
2015170577.tif 000004
【図３】
2015170577.tif 000005
【図４】
2015170577.tif 000006
【図５】
2015170577.tif 000007
【図６】
2015170577.tif 000008
【図７】
2015170577.tif 000009
【図８】
2015170577.tif 000010
【図９】
2015170577.tif 000011
【図１０】
2015170577.tif 000012
【図１１】
2015170577.tif 000013
【図１２】
2015170577.tif 000014
【図１３】
2015170577.tif 000015